(57)【要約】【課題】  レンズ群を保持するレンズ保持枠を確実に移動させることができ且つ小型化を図ることができるレンズ駆動モジュール及びカメラモジュール並びにそれを具備する電子機器を提供する。【解決手段】  移動手段９が、ボイスコイル２１とこのボイスコイル２１に相対向して配置される平板状のマグネット２２とを有し且つボイスコイル２１又はマグネット２２の何れか一方がレンズ保持枠８に固定され他方がベース部材１０に設けられる保持部２３に保持された２組の駆動装置２０を含み、且つ各駆動装置２０がレンズ保持枠８の周囲の一部にＬ字状に配置されているようにする。【選択図】    図２
2008026784.tif 000002
【特許請求の範囲】
【請求項１】
複数のレンズで構成されるレンズ群と、前記レンズ群が保持されると共に当該レンズ群の光軸方向に往復移動可能で且つ前記光軸垂直方向の移動が規制された状態で支持されるレンズ保持枠と、前記レンズ保持枠を往復移動させる移動手段とを具備するレンズ駆動モジュールであって、
前記移動手段が、ボイスコイルとこのボイスコイルに相対向して配置される平板状のマグネットとを有し且つ前記ボイスコイル又は前記マグネットの何れか一方が前記レンズ保持枠に固定され他方がベース部材に設けられる保持部に保持された２組の駆動装置を含み、且つ各駆動装置が前記レンズ保持枠の周囲の一部にＬ字状に配置されていることを特徴とするレンズ駆動モジュール。
【請求項２】
前記ベース部材に対向する領域を覆って設けられ横断面における外形が矩形形状であるカバー部材をさらに具備し、前記移動手段を構成する各駆動装置が前記カバー部材の隣接する二つの内側面に対応してそれぞれ配置されていることを特徴とする請求項１に記載のレンズ駆動モジュール。
【請求項３】
前記カバー部材が、電磁シールド材で形成されていることを特徴とする請求項２に記載のレンズ駆動モジュール。
【請求項４】
前記カバー部材が、金属磁性材料で形成されていることを特徴とする請求項３に記載のレンズ駆動モジュール。
【請求項５】
前記ベース部材上に立設され前記レンズ保持枠を前記レンズ群の光軸方向に移動自在に支持するガイド軸を具備し、このガイド軸が２組の前記駆動装置で形成される角部近傍に少なくとも設けられていることを特徴とする請求項１〜４の何れかに記載のレンズ駆動モジュール。
【請求項６】
前記マグネットが前記カバーの内側面に対向するように前記レンズ保持枠に固定されると共に、前記レンズ保持枠と前記保持部との間に前記光軸方向で摺動可能に保持される介装部材とを具備し、
前記マグネットの磁力による当該マグネットと前記カバー部材との間の吸引力によって、前記レンズ保持枠が前記介装部材を介して前記保持部に吸引支持されていることを特徴とする請求項４に記載のレンズ駆動モジュール。
【請求項７】
前記介装部材が球状体であり、前記レンズ保持枠と前記保持部とに前記光軸方向に沿って設けられた長溝である溝部内に配されていることを特徴とする請求項６に記載のレンズ駆動モジュール。
【請求項８】
前記レンズ保持枠が前記ベース部材側の基準位置に配置された状態では、前記レンズ保持部材に形成された前記溝部の前記ベース部材側の端面が、前記保持部に設けられた溝部の端面よりも前記ベース部材側に位置していることを特徴とする請求項７に記載のレンズ駆動モジュール。
【請求項９】
前記レンズ保持枠が付勢部材によって常に前記ベース部材側に付勢されていることを特徴とする請求項１〜８の何れかに記載のレンズ駆動モジュール。
【請求項１０】
請求項１〜９の何れかに記載のレンズ駆動モジュールと、当該レンズ駆動モジュールの前記レンズ群に対向して配置される撮像素子とを具備することを特徴とするカメラモジュール。
【請求項１１】
請求項１０に記載のカメラモジュールを具備することを特徴とする電子機器。
【発明の詳細な説明】
【技術分野】
【０００１】
本発明は焦点調節等のために移動されるレンズ群を備えたレンズ駆動モジュールに係り、特に、携帯電話機、携帯情報端末（ＰＤＡ）等の小型電子機器に搭載するのに適したレンズ駆動モジュール及びこれを備えたカメラモジュール並びに電子機器に関する。
【背景技術】
【０００２】
近年、携帯電話機等の小型電子機器には、小型のレンズ駆動モジュールを備えたカメラモジュールが搭載されるようになってきている。これらのカメラモジュールに用いられる、ＣＣＤ型イメージセンサやＣＭＯＳ型イメージセンサ等の固体撮像素子は高画素化が進み、より高品質の画像が求められている。このため、カメラモジュールを構成するレンズ駆動モジュールには、例えば、オートフォーカス、光学ズーム、マクロ撮影等の機能が追加されるようになってきている。
【０００３】
例えば、オートフォーカス機能を有するカメラモジュール（撮像装置）として、ステッピングモータにより撮像光学系を支持する光学系支持体を移動させる構成が開示されている（例えば、特許文献１参照）。また、特許文献１にも記載されているように、一般的に、レンズ等からなる撮像光学系が保持された光学系支持体はガイド軸に支持され、このガイド軸に沿って直進移動できるようになっている。このようにガイド軸に支持された光学系支持体をステッピングモータを用いて移動させるようにしても、カメラモジュールのある程度の小型化は可能である。しかしながら、電子機器の小型化に伴って、レンズ駆動モジュール、またそれを備えたカメラモジュールのさらなる小型化が求められている。また、レンズ駆動モジュール等のさらなる小型化を図ると、レンズ群等の光学部品を移動させるための十分なトルクが得られなくなる虞がある。
【特許文献１】特開２００５−１４８１９７号公報
【発明の開示】
【発明が解決しようとする課題】
【０００４】
本発明はこのような事情に鑑みてなされたものであり、レンズ群を保持するレンズ保持枠を確実に移動させることができ且つ小型化を図ることができるレンズ駆動モジュール及びカメラモジュール並びにそれを具備する電子機器を提供することを課題とする。
【課題を解決するための手段】
【０００５】
上記課題を解決する本発明第１の態様は、複数のレンズで構成されるレンズ群と、前記レンズ群が保持されると共に当該レンズ群の光軸方向に往復移動可能で且つ前記光軸垂直方向の移動が規制された状態で支持されるレンズ保持枠と、前記レンズ保持枠を往復移動させる移動手段とを具備するレンズ駆動モジュールであって、前記移動手段が、ボイスコイルとこのボイスコイルに相対向して配置される平板状のマグネットとを有し且つ前記ボイスコイル又は前記マグネットの何れか一方が前記レンズ保持枠に固定され他方がベース部材に設けられる保持部に保持された２組の駆動装置を含み、且つ各駆動装置が前記レンズ保持枠の周囲の一部にＬ字状に配置されていることを特徴とするレンズ駆動モジュールにある。
【０００６】
かかる第１の態様では、駆動装置を小型化してその設置面積を大幅に削減することができる。これにより、レンズ駆動モジュールの小型化を図ることができる。
【０００７】
本発明の第２の態様は、前記ベース部材に対向する領域を覆って設けられ横断面における外形が矩形形状であるカバー部材をさらに具備し、前記移動手段を構成する各駆動装置が前記カバー部材の隣接する二つの内側面に対応してそれぞれ配置されていることを特徴とする第１の態様のレンズ駆動モジュールにある。
【０００８】
かかる第２の態様では、カバー部材内に収容されるレンズ駆動モジュールをより確実に小型化することができる。
【０００９】
本発明の第３の態様は、前記カバー部材が、電磁シールド材で形成されていることを特徴とする第２の態様のレンズ駆動モジュールにある。
【００１０】
かかる第３の態様では、外部からの影響を防止して、駆動装置によってレンズ保持枠を確実に移動させることができる
本発明の第４の態様は、前記カバー部材が、金属磁性材料で形成されていることを特徴とする第３の態様のレンズ駆動モジュールにある。
【００１１】
かかる第４の態様では、外部からの影響を防止して、駆動装置によってレンズ保持枠をより確実に移動させることができる
本発明の第５の態様は、前記ベース部材上に立設され前記レンズ保持枠を前記レンズ群の光軸方向に移動自在に支持するガイド軸を具備し、このガイド軸が２組の前記駆動装置で形成される角部近傍に少なくとも設けられていることを特徴とする第１〜４の何れかの態様のレンズ駆動モジュールにある。
【００１２】
かかる第５の態様では、レンズ保持枠がその重心近傍でガイド軸に支持されることになるため、レンズ保持枠の移動が容易となる。
【００１３】
本発明の第６の態様は、前記マグネットが前記カバーの内側面に対向するように前記レンズ保持枠に固定されると共に、前記レンズ保持枠と前記保持部との間に前記光軸方向で摺動可能に保持される介装部材とを具備し、前記マグネットの磁力による当該マグネットと前記カバー部材との間の吸引力によって、前記レンズ保持枠が前記介装部材を介して前記保持部に吸引支持されていることを特徴とする第４の態様のレンズ駆動モジュールにある。
【００１４】
かかる第６の態様では、レンズ保持枠を支持するためのガイドシャフト（ガイド軸）を設ける必要がなくなるため、より小型のレンズ駆動モジュールを実現することができる。
【００１５】
本発明の第７の態様は、前記介装部材が球状体であり、前記レンズ保持枠と前記保持部とに前記光軸方向に沿って設けられた長溝である溝部内に配されていることを特徴とする第６の態様のレンズ駆動モジュールにある。
【００１６】
かかる第７の態様では、レンズ保持枠が球状体である介装部材を介して支持されることで、レンズ保持枠をスムーズに移動させることができるようになる。
【００１７】
本発明の第８の態様は、前記レンズ保持枠が前記ベース部材側の基準位置に配置された状態では、前記レンズ保持部材に形成された前記溝部の前記ベース部材側の端面が、前記保持部に設けられた溝部の端面よりも前記ベース部材側に位置していることを特徴とする第７の態様のレンズ駆動モジュールにある。
【００１８】
かかる第８の態様では、レンズ保持枠を移動させる際、球状体である介装部材が溝部の端面に当接して当該介装部材の動きが妨げられるのを防止することができる。よって、レンズ保持枠の移動がさらにスムーズになる。
【００１９】
本発明の第９の態様は、前記レンズ保持枠が付勢部材によって常に前記ベース部材側に付勢されていることを特徴とする第１〜８の何れかの態様のレンズ駆動モジュールにある。
【００２０】
かかる第９の態様では、付勢部材によって付勢されることで、レンズ保持枠が常に安定した状態で支持される。
【００２１】
本発明の第１０の態様は、第１〜９の何れかの態様のレンズ駆動モジュールと、当該レンズ駆動モジュールの前記レンズ群に対向して配置される撮像素子とを具備することを特徴とするカメラモジュールにある。
【００２２】
かかる第１０の態様では、レンズを所望の位置に確実に動作させることができ且つ小型化されたカメラモジュールを実現することができる。
【００２３】
本発明の第１１の態様は、第１０の態様のカメラモジュールを具備することを特徴とする電子機器にある。
【００２４】
かかる第１１の態様では、カメラ付き電子機器の小型化を図ることができる。
【発明の効果】
【００２５】
本発明では、レンズ保持枠の周囲の一部に駆動装置をＬ字状に配置し、これら駆動装置によってレンズ保持枠を移動させるようにしているため、レンズ保持枠を確実に移動させることができるだけの十分なトルクを確保しつつレンズ駆動モジュールの小型化を図ることができる。また、このレンズ駆動モジュールを具備するカメラモジュール、さらには、カメラモジュールを具備する電子機器の小型化を図ることもできる。
【発明を実施するための最良の形態】
【００２６】
以下、本発明を実施形態に基づいて説明する。
【００２７】
（実施形態１）
図１は、本発明の実施形態１に係るレンズ駆動モジュールを備えたカメラモジュールの概略を示す分解斜視図であり、図２は、その内部構造を示す概略平面図であり、図３は、図２のＡ−Ａ′矢視図であり、図４は、図２のＢ−Ｂ′矢視図である。
【００２８】
図示するように、本実施形態に係るカメラモジュール１は、回路基板２に設けられた、例えば、ＣＣＤ型イメージセンサやＣＭＯＳ型イメージセンサ等の撮像素子３と、この撮像素子３に対向する領域に配されるレンズ駆動モジュール４とを具備すると共に、これら撮像素子３及びレンズ駆動モジュール４が内装されるカバー５を具備する。また、レンズ駆動モジュール４は、複数のレンズ６で構成されるレンズ群であるレンズユニット７と、このレンズユニット７が保持されるレンズ保持枠８と、レンズ保持枠８を移動させる移動手段９とを具備する。
【００２９】
レンズ駆動モジュール４を構成するベース部材１０の一方面側には、撮像素子３が設けられた略矩形形状を有する回路基板２が固定されている。例えば、本実施形態では、回路基板２上は、撮像素子３に対向する領域に開口部を有する撮像素子カバー１１が接合されており、この撮像素子カバー１１がレンズユニット７に対向する領域に撮像素子３が位置するようにベース部材１０に固定されている。なお、撮像素子カバー１１の開口部は、本実施形態では、撮像素子カバー１１に固定された光学フィルタ１２によって覆われている。
【００３０】
また、レンズ駆動モジュール４等が内装されるカバー５は、レンズ６が露出される露出口５ａを有し、横断面が矩形形状、本実施形態では正方形となるように形成され、撮像素子３が設けられている回路基板２に固定されている。なお、移動手段９を構成する駆動装置を良好に作動させるために、このカバー５は、電磁シールド材によって形成されていることが好ましい。例えば、本実施形態では、カバー５は鉄系の金属材料で形成されており、電磁シールドとしても機能している。
【００３１】
ベース部材１０の撮像素子３とは反対側の領域には、レンズユニット７が保持されたレンズ保持枠８が、撮像素子３に対向する位置に配置されている。そして、レンズ保持枠８は、レンズ６の光軸方向（図４中上下方向）に沿って往復移動可能で且つ前記光軸垂直方向の移動が規制された状態で支持されている。本実施形態では、ベース部材１０上に２本のガイドシャフト１３Ａ，１３Ｂがレンズ保持枠８を挟んで立設されており、レンズ保持枠８は、これらガイドシャフト１３Ａ，１３Ｂに摺動可能に支持されている。具体的には、レンズ保持枠８には、これらガイドシャフト１３Ａ，１３Ｂに対応するガイド孔１４を有する一対のガイドスリーブ１５Ａ，１５Ｂが設けられており、各ガイドシャフト１３Ａ，１３Ｂはこれら各ガイドスリーブ１５Ａ，１５Ｂのガイド孔１４に挿通されて、レンズ保持枠８が上記光軸方向に移動可能に支持されている。なお、これらガイドシャフト１３Ａ，１３Ｂのうち、一方のガイドシャフト１３Ａはレンズ保持枠８の上記光軸方向への移動を誘導し、他方のガイドシャフト１３Ｂはレンズ保持枠８の平面方向での回転を規制している。
【００３２】
また、本実施形態では、一方のガイドスリーブ１５Ａの一部が、例えば、含油軸受け等からなる軸受け部材１６で構成され、レンズ保持枠８は、この軸受け部材１６を介してガイドシャフト１３Ａに支持されている。これにより、レンズ保持枠８を、光軸方向にスムーズに移動させることができる。
【００３３】
このようなレンズ保持枠８のガイドスリーブ１５Ａは、後述するＬ字状に配置された駆動装置の間の領域に設けられていることが好ましい。すなわち、レンズ保持枠８は、Ｌ字状に配置された駆動装置で形成される角部近傍でガイドシャフト１３Ａに支持されていることが好ましい。これにより、レンズ保持枠８は、その重心近傍でガイドシャフト１３Ａに支持されることになるため、光軸方向での移動が容易となる。
【００３４】
このようにレンズ保持枠８を支持する２本のガイドシャフト１３Ａ，１３Ｂのベース部材１０とは反対側の端部は、板状の押さえ部材１７によって固定されている。この押さえ部材１７は、レンズ保持枠８に対向する領域に貫通孔１７ａを有し、この貫通孔１７ａを挟んだ両外側の領域で、ねじ部材１８によってベース部材１０に固定されている。なお、ガイドシャフト１３Ａには、この押さえ部材１７とガイドスリーブ１５Ａとの間に圧縮コイルばね等からなる付勢部材１９が介装されており、レンズ保持枠８は、この付勢部材１９によって、常に下方（ベース部材１０側）に向かって付勢されている。これによりレンズ保持枠８が安定して所定位置に保持されるようにしている。
【００３５】
このようにガイドシャフト１３Ａ，１３Ｂに摺動可能に支持されたレンズ保持枠８を移動させる本発明の移動手段９は、このレンズ保持枠８の周囲にＬ字状に配置された２組の駆動装置２０で構成されている。各駆動装置２０は、カバー５の内側面に近接して（本実施形態ではカバー５の内面に実質的に接触した状態で）設けられ且つその内側面に対向して配置される平板状のボイスコイル２１と、このボイスコイル２１に相対向するようにレンズ保持枠８に固定される平板状のマグネット２２とで構成されている。すなわち、各駆動装置２０は、ボイスコイル２１とこのボイスコイル２１に相対向して配置される永久磁石であるマグネット２２とで構成される、いわゆるボイスコイルモータである。各駆動装置２０を構成するマグネット２２は、レンズ保持枠８の外周部分に設けられたマグネット保持部２３に保持され、一方ボイスコイル２１は、このマグネット２２に相対向するようにベース部材１０に設けられたコイル保持部２４に保持されている。
【００３６】
なお、各駆動装置２０はカバー５に近接して設けられ且つこのカバー５が鉄系の金属材料で形成されているため、カバー５は電磁シールドとして機能すると共に駆動装置２０を構成する各マグネット２２のヨークとしての機能をも果たす。また、マグネット２２は、上記光軸方向でＳ極とＮ極とに分極されているのが好ましいが、勿論、光軸方向では分極されていなくてもよい。
【００３７】
また、Ｌ字状に配置された２組の駆動装置２０は、製造コストが抑えられるためそれぞれ独立しているのが好ましいが、勿論、各駆動装置２０はＬ字状に一体的に形成されていてもよい。
【００３８】
そして、これら２組の駆動装置（ボイスコイルモータ）２０を構成するボイスコイル２１に所定の向きで電力（電流）を供給することで、マグネット保持部２３に保持されたマグネット２２に下方向（ベース部材１０側）あるいは上方向の力が作用する。つまり、レンズ保持枠８に下方向又は上方向の力が作用し、その力によってレンズ保持枠８がガイドシャフト１３Ａに沿って下端又は上端の基準位置まで移動する。なお、例えば、本実施形態では、このような移動手段９によって、レンズ保持枠８を光軸方向に沿って０．３ｍｍ程度の距離だけ移動させている。
【００３９】
このような本実施形態の構成では、移動手段９が、Ｌ字状に配置された２組の駆動装置２０で構成されているため、レンズ保持枠８を移動させるのに十分なトルクを確保しつつレンズ駆動モジュール４を小型化することができる。例えば、移動手段としてステッピングモータを用いる従来の構成の場合、少なくとも４ｍｍ角程度のスペースが必要となり、レンズ駆動モジュールとしては、最低でも１２ｍｍ角程度の大きさにはなってしまう。これに対し、本発明に係る移動手段９は、レンズ保持枠８とカバー５との間の僅かなスペースに設置することができる。したがって、レンズ保持枠８の外径に近い大きさ、例えば、１０ｍｍ角程度の極めて小型のレンズ駆動モジュール４を実現することができる。またレンズ駆動モジュール４の小型化に伴いカメラモジュール１の小型化を図ることもできる。
【００４０】
また、本実施形態では、レンズ保持枠８は、付勢部材１９によって、常に下方（ベース部材１０側）に向かって付勢されている。また、上述したようにレンズ保持枠８は、上端及び下端の２点の基準位置のみに移動させている。このため、本実施形態の構成においては、レンズ保持枠８の上端側の基準位置への移動は駆動装置２０を利用して行い、レンズ保持枠８の下端側（ベース部材１０側）の基準位置への移動はこの付勢部材１９の力を利用して行うようにしてもよい。
【００４１】
（実施形態２）
図５は、実施形態２に係るレンズ駆動モジュールを備えたカメラモジュールの分解斜視図であり、図６は、その内部構造を示す概略平面図であり、図７は、図４のＣ−Ｃ′矢視図であり、図８は、図４のＤ−Ｄ′矢視図である。
【００４２】
実施形態１で説明したように、レンズユニット７が保持されたレンズ保持枠８はレンズ６の光軸方向に沿って往復移動可能に支持されているが、本実施形態は、このレンズ保持枠８の支持構造のバリエーションである。
【００４３】
本実施形態では、マグネット２２を保持するマグネット保持部２３（レンズ保持枠８）が、ベース部材１０に設けられたコイル保持部２４に、レンズ６の光軸方向に沿って移動可能に支持されている。このため、本実施形態では、レンズ保持枠８を支持するガイドシャフトが設けられておらず、押さえ部材１７は、ベース部材１０との間に所定空間を確保した状態で、複数のねじ部材１８によってベース部材１０に固定されている。なお、本実施形態においても、この押さえ部材１７とレンズ保持枠８との間には、例えば、圧縮コイルばね等からなる付勢部材１９が保持されている。
【００４４】
具体的には、レンズ保持枠８（マグネット保持部２３）は、カバー５とマグネット２２との間の吸引力によって、介装部材３１を介してコイル保持部２４に吸引支持されている。カバー５は、上述したように金属磁性材料で形成されているため、マグネット保持部２３に保持されたマグネット２２の磁力によって、レンズ保持枠８にはカバー５側に引きつけられる力（吸引力）が働く。そして、レンズ保持枠８（マグネット保持部２３）が、この吸引力によって、マグネット保持部２３とカバー５との間に配されているコイル保持部２４に支持されている。
【００４５】
また、マグネット保持部２３及びコイル保持部２４には、光軸方向に沿った長溝である溝部３２が形成されており、この溝部３２内に介装部材３１が配されている。本実施形態では、溝部３２は、マグネット保持部２３に形成されるＶ溝からなる第１の溝部３３とコイル保持部２４に形成される第２の溝部３４とで構成され、この溝部３２内に、例えば、ステンレス（ＳＵＳ）等の金属材料の球状体からなる介装部材３１が配されている。そして、上述した吸引力によってこの介装部材３１に所定の予圧が付与された状態で、レンズ保持枠８がコイル保持部２４に支持されている。なお、介装部材３１が配される各溝部３２は、Ｌ字状に並設された駆動装置２０の両外側と両駆動装置２０間とにそれぞれ設けられている。そして、これら駆動装置２０の両外側の溝部３２と駆動装置２０間の溝部３２とは、光軸方向における高さ（位置）が異なるようにそれぞれ形成されている。すなわち、レンズ保持枠８は、コイル保持部２４に介装部材３１を介して３点で支持されている。なお、介装部材３１としては、レンズ保持枠８を上記光軸方向に移動する際に摺動可能な形状を有するものであればよく、例えば、軸中心に回転するロール形状を有するもの等であってもよい。勿論、溝部３２の形状は、介装部材３１の形状に応じて適宜変更する必要はある。
【００４６】
そして、このような構成のカメラモジュール１においても、上述したように、２組の駆動装置（ボイスコイルモータ）２０を構成するボイスコイル２１に所定の向きで電力（電流）を供給すると、マグネット保持部２３に保持されたマグネット２２に下方向（ベース部材１０側）あるいは上方向の力が作用する。つまり、レンズ保持枠８に下方向又は上方向の力が作用する。そして、その力によってレンズ保持枠８が下端又は上端の基準位置まで移動する。このとき、溝部３２内で介装部材３１が回転することによって、レンズ保持枠８は光軸方向に沿ってスムーズに移動される。すなわち、溝部３２内の介装部材３１が実質的にボールベアリングとしての役割を果たし、レンズ保持枠８がスムーズに移動される。なお、例えば、本実施形態では、このような移動手段９によって、レンズ保持枠８を光軸方向に沿って０．３ｍｍ程度の距離だけ移動させている。
【００４７】
なお、レンズ保持枠８は、カバー５とマグネット２２との間の吸引力によってコイル保持部２４に支持されているため、駆動装置２０によってレンズ保持枠８を移動させる際にも、レンズ保持枠８がコイル保持部２４から脱落することはない。勿論、ボイスコイル２１への電力供給を停止した場合でも同様である。
【００４８】
このような本実施形態の構成では、マグネット２２とカバー５との間の吸引力を利用してレンズ保持枠８がコイル保持部２４に支持されるようにしているため、レンズ保持枠８を支持すると共に誘導するガイドシャフトを設ける必要がなくなり、その分、摩擦力を低減できるため、レンズ駆動ユニットをさらに小型化することができる。
【００４９】
なお、レンズ保持枠８が下端側（ベース部材１０側）の基準位置に配置された状態において、レンズ保持枠８に形成された溝部３２（第１の溝部３３）の下端面（ベース部材１０側の端部）が、コイル保持部２４に形成された溝部３２（第２の溝部３４）の下端面よりも下側（外側）に位置していることが好ましい。すなわち、これら第１及び第２の溝部３３，３４は、第１の溝部３３の下端面と第２の溝部３４の下端面との間に所定幅ｄのギャップが存在するように形成されているのが好ましい（図８参照）。これにより、レンズ保持枠８を移動させる際、介装部材３１がレンズ保持枠８の第１の溝部３３の下端面又は上端面に接触することがなく、レンズ保持枠８をスムーズに移動させることができる。
【００５０】
（他の実施形態）
以上、本発明の実施形態について説明したが、本発明は、これらの実施形態に限定されるものではない。例えば、上述の実施形態では、駆動装置を構成するボイスコイルがベース部材に固定され、マグネットが移動可能に設けられた例を説明したが、勿論、これに限定されず、マグネットをベース部材に固定して、ボイスコイルを移動可能に設けるようにしてもよい。また、上述の実施形態では、説明を簡略化するため、レンズ保持枠を上端及び下端の２点の基準位置のみに移動する構成としているが、勿論、レンズ保持枠を所望の位置に移動して保持する構成とすることもできる。
【００５１】
また、上述した本発明に係るカメラモジュール１は、例えば、図９に示す携帯電話機等の小型の電子機器に搭載されて好適なものである。図９に示す携帯電話機１００は、第１のハウジング１０１と第２のハウジング１０２とがヒンジ１０３を介して接続され、このヒンジ１０３によって折りたたみ可能な構成となっている。そして、携帯電話機１００が折りたたまれた状態において外側にレンズユニット７が露出するように第１のハウジング１０１にカメラモジュール１が内蔵されている。なお、カメラモジュール１が搭載される電子機器は、このような携帯電話機だけでなく、例えば、電子携帯情報端末（ＰＤＡ）等のあらゆる電子機器にも、もちろん搭載可能なものである。
【図面の簡単な説明】
【００５２】
【図１】実施形態１に係るカメラモジュールの分解斜視図である。
【図２】実施形態１に係るカメラモジュールの平面図である。
【図３】実施形態１に係るカメラモジュールのＡ−Ａ′矢視図である。
【図４】実施形態１に係るカメラモジュールのＢ−Ｂ′矢視図である。
【図５】実施形態２に係るカメラモジュールの分解斜視図である。
【図６】実施形態２に係るカメラモジュールの平面図である。
【図７】実施形態２に係るカメラモジュールのＣ−Ｃ′矢視図である。
【図８】実施形態２に係るカメラモジュールのＤ−Ｄ′矢視図である。
【図９】カメラモジュールを搭載した電子機器の一例を示す斜視図である。
【符号の説明】
【００５３】
１  カメラモジュール
２  回路基板
３  撮像素子
４  レンズ駆動モジュール
５  カバー
５ａ  露出口
６  レンズ
７  レンズユニット
８  レンズ保持枠
９  移動手段
１０  ベース部材
１１  撮像素子カバー
１２  光学フィルタ
１３Ａ，１３Ｂ  ガイドシャフト
１４  ガイド孔
１５Ａ，１５Ｂ  ガイドスリーブ
１６  軸受け部材
１７  押さえ部材
１７ａ  貫通孔
１８  ねじ部材
１９  付勢部材
２０  駆動装置
２１  ボイスコイル
２２  マグネット
２３  マグネット保持部
２４  コイル保持部
３１  介装部材
３２  溝部
【図１】
2008026784.tif 000003
【図２】
2008026784.tif 000004
【図３】
2008026784.tif 000005
【図４】
2008026784.tif 000006
【図５】
2008026784.tif 000007
【図６】
2008026784.tif 000008
【図７】
2008026784.tif 000009
【図８】
2008026784.tif 000010
【図９】
2008026784.tif 000011